(57)【要約】【課題】本発明は、処理する廃紙のサイズに応じて廃紙を収納する廃紙収納空間の大きさを変更することができ、翻っては、装置全体の小型化が可能な廃紙収納ケースを提供する。【解決手段】本発明は、シュレッダー装置において、破砕装置５へ廃紙を搬送するための搬送ベルト９を配設すると共に、搬送ベルト９の上方に多数枚の廃紙を積層して収納する廃紙収納ケース３を形成し、廃紙収納ケース３の上方には、搬送ベルト９の上方を覆う蓋体１０を前方枢支部１２を中心に開閉自在に配設し、搬送ベルト９後方には、枠体に前端を枢支した補助受台１１を配設し、補助受台１１は、廃紙の大きさに応じて水平張出し状態又は垂直収納状態に変位可能とすると共に、蓋体１０には、補助蓋体１３を付設し廃紙の大きさに応じて同補助蓋体１３を蓋体１０前方へ伸延可能とし、且つ伸延状態の補助蓋体１３は、水平張出し状態の補助受台上方を閉蓋可能に構成したことを特徴とする。【選択図】図１
2009125714.tif 000002
【特許請求の範囲】
【請求項１】
廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、
前記廃紙収納空間の上方には、前記搬送ベルトの上方を覆う蓋体を前方枢支部を中心に開閉自在に配設し、前記搬送ベルト後方には、枠体に前端を枢支した補助受台を配設し、
前記補助受台は、廃紙の大きさに応じて水平張出し状態又は垂直収納状態に変位可能とすると共に、前記蓋体には、前記補助蓋体を付設し廃紙の大きさに応じて同補助蓋体を前記蓋体前方へ伸延可能とし、且つ伸延状態の前記補助蓋体は、水平張出し状態の前記補助受台上方を閉蓋可能に構成してなる
ことを特徴とするシュレッダー装置における廃紙収納ケース。
【請求項２】
水平張出し状態の前記補助受台上方を前記補助蓋体により閉蓋した場合に、
前記補助受台は、垂直収納状態に変位できないように自動的にロックされる構成とした
ことを特徴とする請求項１に記載のシュレッダー装置における廃紙収納ケース。
【請求項３】
前記廃紙収納空間の両側には、左右側壁を立設し、前記両側壁と前記蓋体の両側板との間には閉蓋時に作動する閉蓋用のロック機構を介設してなる
ことを特徴とする請求項２に記載のシュレッダー装置における廃紙収納ケース。
【請求項４】
廃紙を裁断して細片化するシュレッダー装置において、破砕装置へ廃紙を搬送するための搬送ベルトを廃紙受台に配設すると共に、同搬送ベルトの上方に多数枚の廃紙を積層して収納する廃紙収納空間を形成し、
前記廃紙収納空間の上方には、前記搬送ベルトの上方を覆う蓋体を前方枢支部を中心に開閉自在に配設し、
前記蓋体には、収容した廃紙の一部のみを透視することができる透視窓を形成した
ことを特徴とするシュレッダー装置における廃紙収納ケース。
【請求項５】
廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、
前記廃紙収納空間の上方には、前記搬送ベルトの上方を覆う蓋体を前方枢支部を中心に開閉自在に配設し、
前記蓋体の淵部には、ケース本体および補助受台との気密性を確保するためのパッキンを装着した
ことを特徴とするシュレッダー装置における廃紙収納ケース。
【発明の詳細な説明】
【技術分野】
【０００１】
この発明は、シュレッダー装置おける廃紙収納ケースに関するものである。
【背景技術】
【０００２】
従来より、個人情報保護等の観点から、不要となった機密文書を裁断し、機密性を解除した上で廃棄するためのドキュメントシュレッダー装置が広く知られている（例えば、特許文献１）。
【０００３】
かかるシュレッダー装置は、廃紙を複数枚まとめて格納することのできる収納ケースと、当該収納ケースを覆う蓋体とを備えており、さらに、収納ケースには、当該収納ケース内に機密文書が収納されている状態において蓋体が不用意に開蓋されて機密情報が流出することを防止するためのロック機構が設けられている。かかる構成とすることにより、処理待ち状態にある機密文書の機密性を保持した状態で無人運転を行うことが可能となっている。
【特許文献１】特開２００６-２２４０７８号公報
【発明の開示】
【発明が解決しようとする課題】
【０００４】
処理を行う機密文書等の廃紙は、Ｂ５、Ｂ４、Ａ４、Ａ３等様々なサイズのものが存在する。そのため、これら廃紙を収納する収納ケースは、大きなサイズ（例えばＡ３サイズ）の廃紙に合わせて設計する必要があり、これによって装置全体として大型になってしまう。ところが、それに引き換え、かかる大きいサイズの廃紙を処理する機会は通常あまりなく、大きなサイズの廃紙に合わせて設計したとしても、通常においてはスペースの無駄となることが多い。
【０００５】
また、シュレッダー装置は、廃紙を蓋体によって覆う構成となっているが、廃紙を破砕するときに生じる破砕音が大きいため閉蓋状態であっても漏れてしまい騒音となってしまう虞があった。さらには、一旦廃紙を収納ケースに収納して閉蓋してしまうと、廃紙の処理が完了したのちに開蓋しない限りは廃紙の処理状況が視認できないため、作業者が次に処理する廃紙をシュレッダー装置へ投入時間を把握することが困難であった。
【０００６】
そこで、本発明は、処理する廃紙のサイズに応じて廃紙を収納する廃紙収納空間の大きさを変更することができ、翻っては、装置全体の小型化が可能であり、破砕音の漏れを防止し、廃紙の処理状況を視認可能なシュレッダー装置における廃紙収納ケースを提供することを目的とする。
【課題を解決するための手段】
【０００７】
上記目的を達成するため、請求項１に記載の発明は、廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記搬送ベルト後方には、枠体に前端を枢支した補助受台を配設し、前記補助受台は、廃紙の大きさに応じて水平張出し状態又は垂直収納状態に変位可能とすると共に、前記蓋体には、前記補助蓋体を付設し廃紙の大きさに応じて同補助蓋体を前記蓋体前方へ伸延可能とし、且つ伸延状態の前記補助蓋体は、水平張出し状態の前記補助受台上方を閉蓋可能に構成したことを特徴とする。
【０００８】
請求項２に記載の発明は、水平張出し状態の前記補助受台上方を前記補助蓋体により閉蓋した場合に、前記補助受台は、垂直収納状態に変位できないように自動的にロックされる構成としたことを特徴とする。
【０００９】
請求項３に記載の発明は、前記廃紙収納空間の両側には、左右側壁を立設し、前記両側壁と前記蓋体の両側板との間には閉蓋時に作動する閉蓋用のロック機構を介設してなることを特徴とする。
【００１０】
請求項４に記載の発明は、廃紙を裁断して細片化するシュレッダー装置において、破砕装置へ廃紙を搬送するための搬送ベルトを廃紙受台に配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記蓋体には、収容した廃紙の一部のみを透視することができる透視窓を形成したことを特徴とする。
【００１１】
請求項５に記載の発明は、廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記蓋体の淵部には、ケース本体および補助受台との気密性を確保するためのパッキンを装着したことを特徴とする。
【発明の効果】
【００１２】
請求項１に記載の発明によれば、廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記搬送ベルト後方には、枠体に前端を枢支した補助受台を配設し、前記補助受台は、廃紙の大きさに応じて水平張出し状態又は垂直収納状態に変位可能とすると共に、前記蓋体には、前記補助蓋体を付設し廃紙の大きさに応じて同補助蓋体を前記蓋体前方へ伸延可能とし、且つ伸延状態の前記補助蓋体は、水平張出し状態の前記補助受台上方を閉蓋可能に構成したことにより、処理する廃紙のサイズに応じて廃紙を収納する廃紙収納空間の大きさを変更することができ、翻っては、装置全体を小型化することが可能となる。
【００１３】
請求項２に記載の発明によれば、水平張出し状態の前記補助受台上方を前記補助蓋体により閉蓋した場合に、前記補助受台は、垂直収納状態に変位できないように自動的にロックされる構成としたことにより、補助受台は、外的要因によって折曲することがないため、不用意に廃紙の引き出しが行われることがなく、機密保持目的を十分に達しうる。
【００１４】
請求項３に記載の発明によれば、前記廃紙収納空間の両側には、左右側壁を立設し、前記両側壁と前記蓋体の両側板との間には閉蓋時に作動する閉蓋用のロック機構を介設することにより、廃紙処理中において不用意に蓋体を開蓋して廃紙の抜き取りが行えないようにすることができる。
【００１５】
請求項４に記載の発明によれば、廃紙を裁断して細片化するシュレッダー装置において、破砕装置へ廃紙を搬送するための搬送ベルトを廃紙受台に配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記蓋体には、収容した廃紙の一部のみを透視することができる透視窓を形成したことにより、閉蓋状態で廃紙収納空間内の廃紙の処理状況を透視窓を通して視認することが可能となる効果がある。
【００１６】
請求項５に記載の発明によれば、廃紙を裁断して細片化するシュレッダー装置において、破砕装置へ廃紙を搬送するための搬送ベルトを配設すると共に、同搬送ベルトの上方に多数枚の廃紙を積層して収納する廃紙収納空間を形成し、前記廃紙収納空間の上方には、前記搬送ベルトの上方を覆う蓋体を前方枢支部を中心に開閉自在に配設し、前記蓋体の淵部には、ケース本体および補助受台との気密性を確保するためのパッキンを装着したことにより、閉蓋するとパッキンがケース本体の表面および補助受台の表面に密着するため、破砕時に生じる紙粉をケース本体内に閉じ込め、さらには搬送・破砕時の騒音をケース本体内に閉じ込めて高い気密性を図ることが可能となる。これにより、駆動モータや破砕装置において生じる騒音が外部に漏れ出すのを防止している。さらには、破砕装置において生じる紙粉の外部への漏出を防止する効果がある。
【発明を実施するための最良の形態】
【００１７】
本実施の形態に係る廃紙収納ケースついて、図面を参照しながら具体的に説明する。以下、ここでは、廃紙収納ケースを備えたシュレッダー装置の一例として、廃紙を千切り作用により細片化する千切り破細シュレッダー装置について説明する。図１は、本実施の形態に係る廃紙収納ケースを備えた千切り破砕シュレッダー装置を示す概略構成図である。
【００１８】
図１に示すように、千切り破砕シュレッダー装置１は、本体ケーシング２と、廃紙を収納するための廃紙収納ケース３と、廃紙を千切り破砕処理部へと搬送するための搬送機構４と、廃紙の千切り破砕処理を行う千切り破砕装置５と、千切り破砕処理後の破砕細片の圧縮固形化を行う圧縮固型化装置６とにより構成される。
【００１９】
本実施の形態に係る廃紙収納ケース３の構造について、図１乃至図９を参照して詳細に説明する。
【００２０】
廃紙収納ケース３は、図１乃至図３に示すように、搬送ベルト上を覆う蓋体１０と補助受台１１とを有している。
【００２１】
蓋体１０及び補助受台１１は、廃紙のサイズに応じて伸縮或は折畳み自在であり、本実施例では、Ａ４サイズ、Ａ３サイズの２種類に対応しているが、Ｂ５、Ｂ４サイズもＡ４サイズ、Ａ３サイズで収納処理が可能である。
【００２２】
蓋体１０は、搬送ベルト９上に積層した廃紙の上方を密閉状に閉蓋可能に構成され、下方開放の方形箱状に形成されており、図１中、同蓋体１０の先端部を本体ケーシング２の前方上部の側壁に枢支し、同枢支部１２を中心に開閉蓋可能としている。５１は、搬送ベルト９に回転動力を与える駆動軸であり、５２は、駆動軸５１に搬送ベルト９を介して連動連結した遊動軸である。
【００２３】
しかも、蓋体１０内側には、伸縮用の補助蓋体１３を重複状態に重ねて収納しており、補助蓋体１３も蓋体１０と同様に下方開放の箱状に形成している。さらに、補助蓋体１３を蓋体１０の端部から引き出すことにより、蓋体１０は伸長した形態に変化し、大サイズの廃紙の上方を覆うことができるようになる。
【００２４】
図１及び図２に示すように、補助蓋体１３の先端外側面には、２箇所に凸形状の突片１６，１６が設けられる。各突片１６，１６は、図３中、本体ケーシング２基端上面側の各開口１７，１７又は補助受台１１の終端表面の各開口１８，１８と係合する。かかる搬送ベルト９の上方には、多数枚の廃紙を積層して収納する廃紙収納空間７が形成される。そして、かかる廃紙収納空間７の上方には、搬送ベルト９の上方を覆う蓋体１０が枢支部１２を中心に開閉自在に配設される。
【００２５】
図１及び図２に示すように、補助蓋体１３の両側壁において、中途部の２箇所に凸形状の突片１９，１９が、基端側近傍の２箇所に凸形状の突片２０，２０が設けられている。
【００２６】
補助蓋体１３を縮めた状態のとき、両側壁において基端側の各突片２０，２０は、図３に示すように、本体ケーシング２上面両側の各開口２１，２１と係合する。
【００２７】
また、補助蓋体１３を引き出した状態のとき、図２及び図３に示すように、補助蓋体１３の両側壁において基端側の各突片２０，２０は、補助受台１１表面両側の各開口２２，２２と係合すると共に、補助蓋体１３の両側壁において中途部の各突片１９，１９は、本体ケーシング２上面両側の各開口２１，２１と係合する。
【００２８】
また、補助蓋体１３の先端外側面と蓋体１０の先端内側面との間には、図２に示すように、それぞれ凹凸よりなる第１係合部材１４が、また、補助蓋体１３の中途部と蓋体１０の基端内側面との間には、それぞれ凹凸よりなる第２係合部材１５が設けられている。第１係合部材１４は第１凸部２３と第１凹部２４とからなり、第２係合部材１５は第２凸部２５と第２凹部２６とからなる。
【００２９】
蓋体１０から補助蓋体１３を引き出した状態のとき、図２に示すように、補助蓋体１３上面の中途部には、第２凹部２６が補助蓋体１３の内側からネジ止め固定される。この第２凹部２６と蓋体１０の内面基端の第２凸部２５とが係合することにより、引き出した補助蓋体１３の各突片１６，１６，１９，１９，２０，２０と補助受台１１の終端表面の各開口１８，１８，２２，２２及び本体ケーシング２上面両側の各開口２１，２１との係合位置が決められるため、確実に係合することができる。なお、第２凸部２５は、蓋体１０の内面基端側にネジ止め固定される。
【００３０】
この蓋体１０に補助蓋体１３が収納され重合した状態のとき、補助蓋体１３の上面の終端側には、第１凹部２４が補助蓋体１３の内側からネジ止め固定される。この第１凹部２４と蓋体１０の内面枢支側の第１凸部２３とが係合する。このように、第１凹部２４と第１凸部２３とが係合することにより、縮めた補助蓋体１３の各突片１６，１６，１９，１９，２０，２０と本体ケーシング２の各開口１７，１７，２１，２１との係合位置が決められ、確実に係合することができる。なお、第１凸部２３は、蓋体１０の内面枢支側にネジ止め固定される。
【００３１】
蓋体１０及び補助蓋体１３には、補助蓋体１３を伸縮するための機構が設けられている。かかる機構は、図２及び図４に示すように、補助蓋体１３の中途部の両側壁近傍における上面部分に設けられた長方形の透孔２７，２７と、蓋体１０の内側上面の中途部に設けられた断面略Ｚ形の板状のガイド２８，２８を有している。さらに、この各ガイド２８，２８の一端は、蓋体１０の内側上面の中途部であって、この中途部の両側壁近傍に固定され、ガイド２８，２８の一部は、補助蓋体１３の長方形の透孔２７，２７を挿通しつつ、ガイド２８，２８の他端は、補助蓋体１３の内側上面の中途部に接して支持している。なお、各ガイド２８，２８は、補助蓋体１３と摺動する部分に長方形状の板部材２９，２９を備えてなる。
【００３２】
このように、補助蓋体１３を伸縮するための機構を設けることにより、蓋体１０と補助蓋体１３とを摺動自在に伸縮することができ、補助蓋体１３を保持することができる。
【００３３】
次に、補助受台１１の構造について説明する。
【００３４】
補助受台１１は、図１乃至図３に示すように、大サイズの廃紙を処理する場合に用いるものであり、蓋体１０から補助蓋体１３を伸長して蓋体１０等で大サイズの廃紙を覆う状態とした場合に、搬送ベルト９位置の後方にはみ出した大サイズの廃紙を支持するためのものであって、搬送ベルト９の後方側に張り出して装着される。例えば、大サイズの廃紙は、Ａ３サイズ、Ｂ４サイズ等である。
【００３５】
補助受台１１は、図１に示すように、先端を枠体の本体ケーシング２の後方の側壁に設けられた枢支部３０に枢支されており、垂直方向に曲折自在に構成している。
【００３６】
大サイズの廃紙を処理する場合は、図６及び図７に示すように、枢支部３０を中心に水平方向に変位させて、搬送ベルト９の後方から張り出して大サイズの廃紙を支持する。
【００３７】
小サイズの廃紙を処理する場合は、図８及び図９に示すように、搬送ベルト９上に小サイズの廃紙が収まるため補助受台１１は不要であり、この場合は、枢支部３０から下方に折曲して垂直に収納した状態としておく。例えば、小サイズの廃紙は、Ａ４サイズ、Ｂ５サイズである。
【００３８】
図５（ａ），（ｂ）に示すように、補助受台１１先端の枢支部３０の近傍には、係合ピン３１が係合スプリング３２により外方に突出自在に付勢されており、補助受台１１を水平に変位すれば自動的に係合ピン３１が突出して補助受台１１支持用の機枠３３に設けたピン孔３４に係合固定されるように構成されている。図５（ｂ）に示すように、係合ピン３１を解除する場合は人手により係合ピン３１を係合スプリング３２の付勢に抗して内側に押込むことによりピン孔３４からはずし、補助受台１１を枢支部３０を中心にして曲折収納する。かかる係合ピン３１は、機枠３３に設けられたもう１つのピン孔３４に係合する。このように、補助受台１１と補助蓋体１３は、廃紙のサイズに大小によって変更できる、すなわち処理する廃紙のサイズに応じて廃紙を収納する廃紙収納空間７の大きさを変更することができるため、大きな廃紙収納ケース３を設ける必要がなくなり、装置全体を小型化することが可能となる。
【００３９】
かかる補助受台１１の先端部と、本体ケーシング２側壁との間には、ロック機構３６が介設されている。
【００４０】
すなわち、大サイズの廃紙処理に際して補助受台１１を水平状態にセットした場合には、仮に、補助受台１１にロック機構が作用しないと、補助受台１１を強引に垂直方向に折畳むことができ、搬送ベルト後方にはみ出した大サイズの廃紙が露出してしまう。
【００４１】
かかる状態で折畳み状態の補助受台１１の上方から露出した廃紙を外に引出せば、秘密保持のための廃紙破砕の目的に沿わず、廃紙から秘密漏洩が生起するおそれがある。
【００４２】
かかる不測の事態を防止するため、補助受台１１を大サイズ廃紙処理用に水平状態にセットした場合に、蓋体１０と補助蓋体１３とを一体に閉蓋すると、補助蓋体１３の突片１９，あるいは突片２０がロック機構３６のロックピン規制プレート３５を作動させて、自動的に補助受台１１のロック機構３６が作動される。
【００４３】
かかる状態では、補助受台１１は、外的要因によって折曲することができず、収納状態とはならない。従って、不用意に大サイズの廃紙の引出しが行えず、秘密保持目的を十分に達しうる。
【００４４】
まず、補助受台１１と本体ケーシング２側壁との係合保持構造について説明する。
【００４５】
図５に示すように、補助受台１１の側壁にはピン孔３４が穿設されており、補助受台１１を支持する本体ケーシング２側壁には、補助受台１１の曲折作動にともないその側壁が重なって摺動する部分に、ピン孔３４方向に係合スプリング３２で付勢された係合ピン３１が突出自在に装置されている。
【００４６】
従って、補助受台１１を水平方向に変位させた状態では、本体ケーシング２側壁から突出した係合ピン３１が補助受台１１のピン孔３４に付勢係合し、補助受台１１の水平状態を保持できる。
【００４７】
他方、補助受台１１を下方に曲折して収納状態に変位する場合は、ピン孔３４に係合した係合ピン３１を人力により内方に押し戻すことにより係合ピン３１をピン孔３４から抜去させて本体ケーシング２側壁と補助受台１１との係合を解除する。
【００４８】
かかる係合構造において、ロック機構３６は次のように構成される。
【００４９】
本体ケーシング２側壁の係合ピン３１の基端方向には、規制装置が配置されている。規制装置は、本体ケーシング２側壁内部に固定された基板３７と、基板に立設した支持板３８と、支持板３８に中途部を枢支した規制板４０と、規制板４０の基端部において規制板４０を解除方向に付勢する操作スプリング３９とよりなり、規制板４０は略長手状の板体より構成され、その先端部は係合ピン３１の基端に当接自在のロック部４１とし、その基端部は操作部４２とする。そして、操作スプリング３９の付勢に抗した上方からの押圧により梃子作用を介してロック部４１を上昇させ、係合ピン３１の基端と当接して係合ピン３１の摺動を阻止して同係合ピン３１がピン孔３４から抜去しないように構成している。従って、操作部４２の押圧がなくなるとき（補助蓋体１３の開放のとき）は、規制板４０のロック部４１が操作スプリング３９の付勢により降下して、ロック部４１の付勢から係合ピン３１が離脱し、係合ピン３１が基端方向に摺動可能なロック機能解除状態となり、補助受台１１を折曲して収納可能な状態とすることができる。
【００５０】
このようなロック機構３６の操作部４２を操作するためには、蓋体１０を閉蓋状態とすることにより、補助蓋体１３先端側壁に突設した突片２０（１９）が自動的に操作部４２に当接して操作部４２を上方から押圧できるように構成している。
【００５１】
また、かかるロック機構３６の側方には主電源用スイッチ４３が設けられている。上記の突片によりロック機構３６を操作するとき、すなわち、蓋体１０が閉蓋されたときに同時に主電源用スイッチ４３に当接し主電源がＯＮするように構成されている。
【００５２】
これは、蓋体１０を閉蓋しない限り主電源がＯＮしないようにするものであり、本装置１の全ての作動は蓋体１０の閉蓋を条件とすることにより、作業者が作動状態のままの装置と誤認して、秘密書類の廃紙が開蓋状態で不用意に露出状態のまま放置されることを防止している。
【００５３】
補助蓋体１３の側壁と本体ケーシング２の側壁、すなわち、搬送ベルト９上の廃紙収納空間７の側壁との間には、図１乃至図３に示すように、蓋体用ロック機構４４が介設されている。
【００５４】
すなわち、閉蓋して、本体ケーシング２の側壁に設けたロックピン４５をソレノイド４６により進退作動させると、ロックピン４５と補助蓋体１３の側壁とが係合し、あるいは、離脱して蓋体１０の開閉ロックがなされる。なお、補助蓋体１３には、前後に２個のピン孔４７を穿設しており、補助蓋体１３の収納状態の場合と伸長した場合とにそれぞれロックピン４５が係合できるように構成している。
【００５５】
なお、ロックピン４５の電動操作は、別途設けた操作スイッチ４８により行うものであり、同操作スイッチ４８は、所定の操作キー８を用いなければ操作できないように構成している。
【００５６】
このように、所定の操作キー８を用いてスイッチ操作を行うように構成することにより、不用意に廃紙処理中に閉蓋して廃紙の抜き取りが行えないようにしている。
【００５７】
また、廃紙収納空間７の内底面においては、内側壁面と一定の間隙を保持して規制板４９を立設しており、閉蓋作動時に、蓋体１０の両側壁が廃紙収納空間７の内側壁面と規制板４９との間の間隙に嵌入するように構成している。
【００５８】
すなわち、外部から蓋体１０の両側壁を不用意に内方へ加圧しても、規制板４９により内方へ変位しないようにして、本体ケーシング２との間に介設した蓋体用ロック機構４４の不用意な解除を生起しないようにしている。
【００５９】
上記実施例の補助受台１１の開口１８，１８と補助蓋体１３の突片１６，１６との係合による位置決めの代わりに、他の実施例として図１０に示すように、補助受台１１の上面には、一定厚みの位置決め板３００を貼着し、補助蓋体１３を補助受台１１の上面に閉蓋した場合に位置決め板３００の周端面３０１と補助蓋体１３の内周壁面１３ａとが嵌着状態となり閉蓋の固定及び補助蓋体１３の位置決めを行うことができるようにしている。
【００６０】
このように補助蓋体１３を補助受台１１の上面に閉蓋した場合に位置決め板３００の周端面３０１と補助蓋体１３の内周壁面１３ａとが嵌着状態であるため、廃紙を搬送するときに発生する騒音や千切り破砕処理のときに発生する騒音を可及的速やかに廃紙収納ケース３内に封じ込めることができ、静寂な千切りシュレッダー装置を提供する。
【００６１】
また、上記の実施例においては、操作部４２と主電源用スイッチ４３が補助蓋体１３の突片２０（１９）の押圧作動により操作されるように構成すると共に、本体ケーシング２に突片２０（１９）を上方から挿通するための突片挿通孔２１を形成している。他の実施例においては、図１１に示すように、この突片挿通孔２１から外部の塵芥が流入しないように、突片挿通孔２１を本体ケーシング２の内部、すなわち、突片挿通孔２１の下方から開口を閉蓋するための閉蓋付勢板３１０を当接する通常状態（補助蓋体１３を開蓋して突片１９が突片挿通孔２１に挿通されていない状態）の場合に突片挿通孔２１を下方より閉蓋するようにしている。従って、かかる閉蓋付勢板３１０は、操作部４２と主電源用スイッチ４３の上方に位置して、突片２０（１９）が操作された場合は閉蓋付勢板３１０を間に介在させて操作部４２と主電源用スイッチ４３とを間接的に作動させる。図１１（ｂ）中は、閉蓋付勢板３１０を本体ケーシング２の壁面に取付けるための基部が形成され、閉蓋付勢板３１０の本体部分を二又状にして左右板が隣接状態の操作部４２と主電源用スイッチ４３との突片挿通孔２１を閉蓋することができるように構成している。なお、閉蓋付勢板３１０は、薄板の可撓性を有する板ばね鋼を使用している。
【００６２】
このように、通常状態の場合に閉蓋付勢板３１０によって突片挿通孔２１が塵芥によって詰まることを防ぐことができるため、操作部４２や主電源用スイッチ４３における誤作動を防ぎ長期信頼性の高い装置を提供することができることになる。
【００６３】
図１２ないし図１７に示すものは、廃紙収納ケースの他の実施例を示すものである。以下、他の実施例の構成について、先に説明した実施の形態と同一符号を付して重複説明を省略する。すなわち、廃紙収納ケース３は、廃紙を載置する廃紙受台３１９と搬送ベルト９を廃紙受台３１９に配設し同搬送ベルト９上を覆う蓋体１０とケース本体３２０と補助受台１１とより構成されている。ケース本体３２０は、Ａ４サイズの廃紙が収納される大きさに形成されており、このケース本体３２０の後端を伸延して補助受台１１を形成し、同ケース本体３２０と補助受台１１との連続した空間をＡ３サイズの廃紙を収納する空間７としている。
【００６４】
補助受台１１は内底面がケース本体３２０よりも一段高く形成した台部３２１としており、従って、この台部３２１より前方空間がＡ４サイズの廃紙が収納されるケース本体３２０としており、Ａ３サイズの廃紙は、前半部をケース本体３２０の底面に後半部を台部３２１上に載置して収納する。従って、Ａ３サイズの廃紙は、後半部が一段上方に隆起した状態で収納される。蓋体１０は、ケース本体３２０と補助受台１１との両方を覆う大きさに形成されており、前端部を本体ケーシング２のケース本体３２０に枢着されて、開閉自在になっている。
【００６５】
シュレッダー装置１において、破砕装置５や圧縮固型化装置６や駆動源の駆動モータや動力を伝達するギア等が騒音源となり、これら騒音源からの騒音は、搬送ベルト９上の廃紙収納空間７から外へ放出されるため、さらなる静音対策を行う必要があった。そこで、図１６に示すように蓋体１０は、外蓋３３０と内蓋３３１とよりなる二重構造とし、同外蓋３３０の内面全体に防振吸音シート３３２を貼着して、外蓋３３０と内蓋３３１との間には、一定厚みのスペーサ３３３を配設して一定の隙間空間３３４を備えてなる構成としている。かかる２重蓋構成により、搬送機構４、破砕装置５、圧縮固型化装置６等で生じる振動や騒音を抑えることが可能となり、また外蓋３３０内面に防振吸音シート３３２を貼着し一定間隔の隙間空間３３４を設けることで、より静音性を向上する効果がある。さらに蓋体１０周縁の淵部１０ｂには、密閉するための帯状の弾性パッキン３３５が隙間無く装着されおり、閉蓋するとパッキン３３５がケース本体３２０の表面および補助受台１１の表面に密着するため、廃紙を破砕する時に生じる紙粉をケース本体３２０内に閉じ込め、さらには搬送・破砕時の騒音をケース本体３２０内に閉じ込めて高い気密性を図ることが可能となる。これにより、駆動モータや破砕装置５において生じる騒音が外部に漏れ出すのを防止している。さらには、破砕装置５において生じる紙粉の外部への漏出を防止している。なお、パッキン３３５は、生活防水程度の気密性を有しており、例えば、蓋体１０上に不用意にお茶、コーヒー等をこぼした場合でも、本体ケース３２０内へのお茶、コーヒーの進入を防ぐとともに、破砕時に発生する騒音を本体ケース３２０内へ封じ込める効果がある。
【００６６】
蓋体１０の天板の一部には、長方系の透視窓１０ａを形成して外部から収納した廃紙の一部のみしか透視できないようにしており、廃紙に記載した文字等の秘密保持を図っている。廃紙の破砕完了後に、搬送ベルト間に設けた終了ランプ１０ｃが自動点灯することで、この終了ランプの明かりにより透視窓１０ａを覗くと本体ケース３２０内を見ることができるため、目視確認を容易に行うことが可能となる効果がある。蓋体１０の最後尾に位置する蓋体１０の下端面と補助受台１１の下端面と補助受台１１の前側端面との間には、ロック機構３２３を介設して、蓋体１０が不用意に開蓋されて秘密が漏洩しないようにしており、ロック機構３２３は、ワンタッチで係合フック３２４がロックされる機構としている。なお、図１３中、３２２は、補助受台１１の内底面の台部３２１に形成した隆起リブであり、廃紙の搬送滑動を円滑にすることが可能となる。
【００６７】
図１４は、千切り破砕シュレッダー装置１の全体図であり、図１５は、千切り破砕シュレッダー装置１の全体構成図である。中央の本体ケース３２０には、廃紙収納ケース３とその下方に垂設した搬送機構４と、搬送機構４の下方に載置した破砕装置５と、圧縮固型化装置６（図２１参照）の一部たる廃紙細片の搬送ケース１３１とが収納されており、右袖部分のケース３２０Ｒには、廃紙細片の圧縮固型化装置６の圧縮ケース１３７及びコントロールパネルに連通したコントロール機構が収納されており、左袖部分のケース３２０Ｌには、各装置の各種の連動連結機構が収納されており、これらの各ケースの下方には紙塊となった圧縮塊を収納する収納箱２１１が付設されている。図１２及び図１７に示すように、これら連動連結機構のうち破砕装置を駆動する各ギアは、２重構造の縦フレーム３２０ａ内に収納されて、各ギアによって生じる騒音をケース外に出さない構造となっている。本体ケース３２０と各左右ケース３２０Ｌ，３２０Ｒ同士の取り付けにおいても、取り付けネジ３４０とナット３４１に防振用の弾性部材３４２を挿通し、弾性部材３４２を挟んで本体ケースの縦フレーム３２０ａと左ケース３２０Ｌを連結し、さらに、本体ケース３２０の各フレーム３２０ａ，３２０ｂと各左右ケース３２０Ｌ，３２０Ｒの隙間をシール材３４３で封しすることで、騒音をケース外に出さない構造としている。さらにまた、各ケース内面に防振防音シート（図示せず）を貼着することで、ケース内に伝播した振動及び騒音を抑えて、静音効果を向上することが可能となる。図中、３２５は右袖部分のケース側面上方に配設した逆回転ボタンであり、３２６は、メンテナンス用の端子部である。同逆回転ボタン３２５は、搬送機構４内の各ローラ間に廃紙が詰まったときに強制的に戻す場合に用いる、また、同端子部３２６は、故障チェック、実稼動時間等の情報、制御ソフトのバージョンアップを行い、通常時は逆回転ボタン３２５の上方に円形のカバー３２７を装着して閉蓋状態としている。２０３は、圧縮ケース１３７（図２１参照）より排出された紙塊片が滞留したときに収納箱２１１に押下げるためのプレスボタンである。
【００６８】
千切り破砕シュレッダー装置１は、上述した廃紙を廃紙収納ケース３の他に搬送機構４，破砕装置５，圧縮固型化装置６によって構成されており、図１８乃至図２１を参照しながら説明する。
【００６９】
搬送機構４は、図１８に示すように、搬送ベルト９の前方側に配設されており、同搬送ベルト９と圧接自在のフリーローラ５６と、フリーローラ５６の下手側に配設したガイドローラ７３と、同ガイドローラ７３の下手側に配設した小径ガイドローラ７９，８０とにより構成される。しかも、搬送ベルト９に対面したガイドローラ７３に厚手の廃紙が送入されるとガイドローラ７３のガイド軸７１に連設したモータ反転スイッチ７７がその状態を検知して、同搬送ベルト９を反転作動させて、余分に送入されてきた廃紙をフリーローラ５６の直前位置まで返送するように構成されている。次いで、廃紙が返送されると、正常の廃紙搬送状態に戻ることにより、搬送ベルト９は通常の廃紙進行方向に作動するように構成されている。なお、図中、５１は駆動軸、５５はワンウェイ軸、５７はワンウェイローラ、５９は規制軸、６１は整紙板、６４は押圧軸、６５は押圧ローラ、６７、７６は付勢機構、８２は補助軸、８３は補助ローラである。
【００７０】
千切り破砕装置５は、図１９に示すように、搬送機構４の下手側に配設されており、第一破砕軸１０１と第二破砕軸１０２と第三破砕軸１０３とにより構成され、第一破砕軸１０１の第一破砕歯車１０５と、第二破砕軸１０２の第二破砕歯車１０７とを噛合状態として両歯車１０２，１０７の各歯部１１０，１１１により廃紙を突き刺す構成とすると共に、第三破砕軸１０３の第三破砕歯車１１３と、第二破砕軸１０２の第二破砕歯車１０７との各歯部１１１，１１６によって廃紙を狭着し、第三破砕軸１０３の回転速度を、他の破砕軸の回転速度より速くすることにより廃紙を千切り状に切断破砕するものである。
【００７１】
圧縮固型化装置６は、図２０及び図２１に示すように、千切り破砕装置５の下手側に配設されており、回転軸１３２に装着した螺旋スクリュー１３３により千切り破砕された破砕細片を中途で滞留することなく先方の圧縮装置１３５に搬送し、同圧縮装置１３５においては、螺旋羽根体１３４と開閉自在に付勢された当板１３８との間において、一定量の破砕細片が圧縮されて紙塊片となり、更に圧縮負荷が当板１３８にかかることにより付勢に抗して当板１３８が開放作動して紙塊片が圧縮装置１３５の外に放出される。なお、図中、１１８は掻上げローラ軸、１２０は掻上げローラ歯車、１３１は圧縮ケース、１３３は螺旋スクリュー、１５２は排出ファンである。
【００７２】
かかる構成により、千切り破砕シュレッダー装置１は、廃紙を廃紙収納ケース３に収納した後、一枚ずつ搬送機構４で搬送して、千切り破砕装置５で破砕細片にして、この破砕細片を圧縮固型化装置６で紙塊片にして放出することができる。
【００７３】
本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００７４】
【図１】本発明に係るシュレッダー装置の廃紙収納ケースを示す側面図である。
【図２】本発明に係るシュレッダー装置の廃紙収納ケースを示す正面図である。
【図３】本発明に係るシュレッダー装置の廃紙収納ケースを示す平面図である。
【図４】図２のＡ−Ａ線の断面図である。
【図５】ロック機構の要部を示す図である。
【図６】本発明に係るシュレッダー装置の廃紙収納ケースを示す斜視図である。
【図７】本発明に係るシュレッダー装置の廃紙収納ケースを示す斜視図である。
【図８】本発明に係るシュレッダー装置の廃紙収納ケースを示す斜視図である。
【図９】本発明に係るシュレッダー装置の廃紙収納ケースを示す斜視図である。
【図１０】他の実施形態に係るシュレッダー装置の斜視図である。
【図１１】図１０に示すシュレッダー装置の要部を示す平面図である。（ｂ）閉蓋付勢板を示す斜視図である。
【図１２】（ａ）他の実施形態に係るシュレッダー装置の正面図である。（ｂ）他の実施形態に係るシュレッダー装置の側面図である。
【図１３】他の実施形態に係るシュレッダー装置の平面図である。
【図１４】他の実施形態に係るシュレッダー装置の全体図である。
【図１５】他の実施形態に係るシュレッダー装置の全体構成図である。
【図１６】（ａ）他の実施形態に係るシュレッダー装置の蓋体を示す平面図である。（ｂ）図１６（ａ）の蓋体の側断面図である。
【図１７】（ａ）図１２（ａ）のＡ−Ａ線の断面図である。（ｂ）図１２（ａ）のＢ−Ｂ線の断面図である。
【図１８】搬送機構を示す概略構成図である。
【図１９】千切り破砕装置を示す概略構成図である。
【図２０】圧縮固型化装置を示す概略構成図である。
【図２１】圧縮固型化装置を示す平面図である。
【符号の説明】
【００７５】
１  千切り破砕シュレッダー装置
２  本体ケーシング
３  廃紙収納ケース
４  破砕装置
５  搬送機構
６  圧縮固型化装置
７  廃紙収納空間
８  操作キー
９  搬送ベルト
１０  蓋体
１１  補助受台
１２  枢支部
１３  補助蓋体
１４  第１係合部材
１５  第２係合部材
１６，１６，１９，１９，２０，２０  突片
１７，１７，２１，２１  開口  
１８，１８，２２，２２  開口  
２３  第１凸部
２４  第１凹部
２５  第２凸部
２６  第２凹部
２７  透孔
２８  ガイド
２９  板部材
３０  枢支部
３１  係合ピン
３２  係合スプリング
３３  機枠
３４  ピン孔
３５  ロックピン規制プレート
３６  ロック機構
３７  基板
３８  支持板
３９  操作スプリング
４０  規制板
４１  ロック部
４２  操作部
４３  主電源用スイッチ
４４  蓋体用ロック機構
４５  ロックピン
４６  ソレノイド
４７  ピン孔
４８  操作スイッチ
４９  規制板
【図１】
2009125714.tif 000003
【図２】
2009125714.tif 000004
【図３】
2009125714.tif 000005
【図４】
2009125714.tif 000006
【図５】
2009125714.tif 000007
【図６】
2009125714.tif 000008
【図７】
2009125714.tif 000009
【図８】
2009125714.tif 000010
【図９】
2009125714.tif 000011
【図１０】
2009125714.tif 000012
【図１１】
2009125714.tif 000013
【図１２】
2009125714.tif 000014
【図１３】
2009125714.tif 000015
【図１４】
2009125714.tif 000016
【図１５】
2009125714.tif 000017
【図１６】
2009125714.tif 000018
【図１７】
2009125714.tif 000019
【図１８】
2009125714.tif 000020
【図１９】
2009125714.tif 000021
【図２０】
2009125714.tif 000022
【図２１】
2009125714.tif 000023